(57)【要約】【課題】例えば睡眠中などに、呼吸状態を示すデータを確実に収集できる呼吸状態監視装置及び呼吸状態監視システムを提供すること。【解決手段】ステップ１２０では、電源がオンになってから１分以上経過しても測定開始スイッチ３３がオンにされないので、「測定開始スイッチ３３のオンの操作が忘れられている」と判断して、動作表示器３９を駆動して、「測定開始スイッチを入れて下さい」と表示する。ステップ２３０では、例えば呼吸センサ３が体から外れたりして測定ができないと判断して、動作表示器３９を駆動して、「測定異常、装置を点検下さい」と表示する。ステップ２１０では、測定データを３時間分記憶したか否かを判定する。ステップ２２０では、呼吸状態の解析に十分な呼吸データが記憶されたので、動作表示器３９を駆動して、「測定は正常に完了しました」と表示する。【選択図】  図６
2008110137.tif 000002
【特許請求の範囲】
【請求項１】
呼吸センサにより検出された呼吸状態を示す呼吸データが記憶される呼吸状態監視装置において、
前記呼吸状態監視装置の動作に異常があるか否かを判定する異常判定手段と、
前記異常判定手段によって異常があると判定された場合には、その異常に関する報知を行う異常報知制御手段と、
を備えたことを特徴とする呼吸状態監視装置。
【請求項２】
前記異常に関する報知とは、異常の発生の報知、異常の内容の報知、及び異常の対策の報知のうち、少なくとも１種であることを特徴とする前記請求項１に記載の呼吸状態監視装置。
【請求項３】
呼吸センサにより検出された呼吸状態を示す呼吸データが記憶される呼吸状態監視装置において、
前記呼吸状態監視装置に対する操作が適正であるか否かを判定する操作判定手段と、
前記操作判定手段の判定結果に基づいて、前記操作に関する報知を行う操作報知制御手段と、
を備えたことを特徴とする呼吸状態監視装置。
【請求項４】
前記操作判定手段によって操作が適正でないと判定された場合に、前記操作に関する報知を行うことを特徴とする前記請求項３に記載の呼吸状態監視装置。
【請求項５】
前記呼吸状態監視装置に電力を供給する電源がオンされた後に、所定時間経過しても前記呼吸状態の測定開始を指示する測定開始手段が操作されない場合には、その操作に関する報知を行うことを特徴とする前記請求項４に記載の呼吸状態監視装置。
【請求項６】
前記操作に関する報知とは、適正でない操作の発生の報知、適正でない操作の内容の報知、適正でない操作による現状の報知、及び適正でない操作の対策の報知のうち、少なくとも１種であることを特徴とする前記請求項４又は５に記載の呼吸状態監視装置。
【請求項７】
前記操作判定手段によって操作が適正であると判定された場合に、前記操作に関する報知を行うことを特徴とする前記請求項３に記載の呼吸状態監視装置。
【請求項８】
前記呼吸状態監視装置に電力を供給する電源がオンされた後に、所定時間以内に前記呼吸状態の測定開始を指示する測定開始手段が操作された場合には、その操作に関する報知を行うことを報知することを特徴とする前記請求項７に記載の呼吸状態監視装置。
【請求項９】
前記操作に関する報知とは、適正な操作が行われた旨の報知、適正な操作の内容の報知、適正な操作による現状の報知、及びその後の操作の案内のうち、少なくとも１種であることを特徴とする前記請求項７又は８に記載の呼吸状態監視装置。
【請求項１０】
前記報知を、光、音、及び振動のうち、少なくとも１種を用いて行うことを特徴とする前記請求項１〜９のいずれかに記載の呼吸状態監視装置。
【請求項１１】
前記報知の内容を、無線により外部装置に送信することを特徴とする前記請求項１〜１０のいずれかに記載の呼吸状態監視装置。
【請求項１２】
前記呼吸状態監視装置の操作を案内する案内手段を備えたことを特徴とする前記請求項１〜１１のいずれかに呼吸状態監視装置。
【請求項１３】
前記請求項１〜１２のいずれかに記載の呼吸状態監視装置に前記呼吸センサが装着されたことを特徴とする呼吸状態監視システム。
【発明の詳細な説明】
【技術分野】
【０００１】
本発明は、圧電フィルム等を利用した呼吸センサを用いて、例えば睡眠時などの呼吸の正常・異常やいびきなどの呼吸状態を調べることができる呼吸状態監視装置及び呼吸状態監視システムに関する。
【背景技術】
【０００２】
従来より、人の呼吸の状態を調べる技術として、口元にサーミスタを貼り付ける技術が知られている（特許文献１参照）
また、体の動きを圧電素子で検出し、その検出結果から呼吸の状態を調べる技術も知られている（特許文献２参照）。
【０００３】
更に、近年では、口にＰＶＤＦ（ポリフッ化ビニリデン）フィルムを貼り付け、その検出信号から呼吸を検出する技術も開示されている（特許文献３参照）。
【特許文献１】特許第２７９４１９６号公報  （第２頁  第２図）
【特許文献２】特許第２８０３３７４号公報  （第１頁  図２）
【特許文献３】米国特許第５３１１８７５号明細書  （第１頁  第１図）
【発明の開示】
【発明が解決しようとする課題】
【０００４】
しかしながら、上述した引用文献の技術では、呼吸状態を検出する各種のセンサを体に取り付け（例えばフィルム状の呼吸センサを口の当たりに貼り付け）、その呼吸センサを測定装置に接続して使用するが、通常、測定装置は大型であり、例えば多くの検査対象から無呼吸症候群などを検出するためのスクリーニングには、使用し難いという問題があった。
【０００５】
つまり、多くの人に測定装置を取り付けて、各個人の呼吸の異常等を簡単に検出するためには、装置の小型化や操作性の向上に加え、測定装置の異常や操作ミスに対応する必要があるが、従来は、そのための対策が十分では無い。
【０００６】
例えば、呼吸センサを装着した小型の装置を体に取り付けて、睡眠中に呼吸データを記録する場合には、まず、装置の電源をオンした後に、測定開始スイッチを操作して、呼吸状態の測定を行うことが考えられるが、例えば測定開始スイッチをオンすることを忘れた場合には、当然ながら呼吸データをメモリに記録できない。
【０００７】
或いは、睡眠中に呼吸センサが体から外れてしまった場合でも、呼吸センサからは何らかの信号が装置に送信されてくるものの、その信号は呼吸とは無関係であるため、当然ながら呼吸状態の判定には利用できない。
【０００８】
本発明は以上の点に鑑みてなされたものであり、装置の異常や操作ミスなどを報知することにより、呼吸データを確実に収集できる呼吸状態監視装置及び呼吸状態監視システムを提供すること目的とする。
【課題を解決するための手段】
【０００９】
（１）請求項１の発明は、呼吸センサにより検出された呼吸状態（例えば呼吸の有無やいびき）を示す呼吸データが記憶される呼吸状態監視装置において、前記呼吸状態監視装置の動作に異常があるか否かを判定する異常判定手段と、前記異常判定手段によって異常があると判定された場合には、その異常に関する報知を行う異常報知制御手段と、を備えたことを特徴とする。
【００１０】
本発明では、呼吸状態監視装置の動作に異常がある場合（つまり、正常ではない状態であると判定された場合）には、その報知を行うので、異常を速やかに検知することができる。
【００１１】
つまり、呼吸センサの呼吸データは呼吸状態監視装置に入力されるが、例えばその呼吸データが無い場合、或いは、呼吸センサを正常に装着した場合にはあり得ないような呼吸データが入力した場合などには、何らかの異常があると判定して報知する。
【００１２】
これにより、被験者等は、装置などの異常を速やかに検知できるので、異常の原因を見つけて排除することにより、速やかに正常な状態での測定が可能になる。
尚、ここで、「呼吸状態監視装置の動作の異常」とは、呼吸状態監視装置自身に異常の原因がある場合だけでなく、呼吸センサの人体への装着ミス（又は脱落）や、呼吸状態監視装置との接続異常、或いは呼吸センサから呼吸状態監視装置に入力する信号の異常など、呼吸状態監視装置による正常な測定動作とは異なる状態を示すものである。
【００１３】
また、前記呼吸センサとは、生体（例えば口の近傍に）に装着して、口や鼻からの息の状態から呼吸状態を検出するセンサであり、呼吸センサとしては、呼吸状態監視装置に着脱可能なものが好適である（以下同様）。
【００１４】
（２）請求項２の発明は、前記異常に関する報知とは、異常の発生の報知、異常の内容の報知、及び異常の対策の報知のうち、少なくとも１種であることを特徴とする。
本発明は、報知内容を例示したものである。
【００１５】
（３）請求項３の発明は、呼吸センサにより検出された呼吸状態を示す呼吸データが記憶される呼吸状態監視装置において、前記呼吸状態監視装置に対する操作が適正であるか否かを判定する操作判定手段と、前記操作判定手段の判定結果に基づいて、前記操作に関する報知を行う操作報知制御手段と、を備えたことを特徴とする。
【００１６】
本発明では、呼吸状態監視装置に対する操作が適正か否かを判定し、その判定結果に基づいて、例えば操作が適正か否かなどの情報を報知するので、被験者等はその報知内容に基づいて、例えば（操作が適正でない場合には）速やかに適正な操作を行ったり、（操作が適正な場合には）次の操作などを行うことができる。
【００１７】
（４）請求項４の発明は、前記操作判定手段によって操作が適正でないと判定された場合に、前記操作に関する報知を行うことを特徴とする。
本発明では、呼吸状態監視装置に対する操作が適正ないと判定された場合には、その操作に関する報知を行うので、被験者等は速やかに適正な操作を行うことができる。
【００１８】
なお、ここで、操作判定手段によって判定される内容には、「本来操作されるべき操作がなされなかったこと」も含まれる。
（５）請求項５の発明は、前記呼吸状態監視装置に電力を供給する電源がオンされた後に、所定時間経過しても前記呼吸状態の測定開始を指示する測定開始手段が操作されない場合（例えば測定開始スイッチがオンされない場合）には、その操作に関する報知を行うことを特徴とする。
【００１９】
通常では、（例えば呼吸センサの接続によって）電源がオンされると、速やかに測定開始スイッチが操作されて測定が開始される。しかし、電源がオンされてから、かなりの時間が経過しても測定開始スイッチが操作されない場合には、操作忘れの可能性が高い。
【００２０】
そこで、本発明では、その様な状態の場合には、操作忘れに対する注意を喚起するために、その報知を行う。これにより、例えば「１晩中呼吸センサを貼り付けて測定を行っていたと思っていたにもかかわらず、実際は測定されていなかった」というような測定ミスを防止できる。
【００２１】
（６）請求項６の発明は、前記操作に関する報知とは、適正でない操作の発生の報知、適正でない操作の内容の報知、適正でない操作による現状の報知、及び適正でない操作の対策の報知のうち、少なくとも１種であることを特徴とする。
【００２２】
本発明は、報知の内容を例示したものである。
なお、適正でない操作の内容の報知としては、例えば「測定開始スイッチがオフのままです（又は「入」となっていません）」等が挙げられる。また、適正でない操作の対策の報知としては、例えば「測定開始スイッチを入れて下さい」等が挙げられる。
【００２３】
（７）請求項７の発明は、前記操作判定手段によって操作が適正であると判定された場合に、前記操作に関する報知を行うことを特徴とする。
本発明では、呼吸状態監視装置に対する操作が適正である場合には、その操作に関する報知を行うので、被験者等は（適正な操作の確認ができることにより）正しい操作を確実に行うことができる。
【００２４】
（８）請求項８の発明は、前記呼吸状態監視装置に電力を供給する電源がオンされた後に、所定時間以内に前記呼吸状態の測定開始を指示する測定開始手段が操作された場合（例えば測定開始スイッチがオンされた場合）には、その操作に関する報知を行うことを特徴とする。
【００２５】
これにより、適正な操作が行われたことの確認を行うことができる。
（９）請求項９の発明は、前記操作に関する報知とは、適正な操作が行われた旨（例えば正常に測定が可能であること）の報知、適正な操作の内容の報知、適正な操作による現状の報知、及びその後の操作の案内のうち、少なくとも１種であることを特徴とする。
【００２６】
本発明は、報知の内容を例示したものである。
なお、適正な操作が行われた旨の報知としては、例えば「測定を開始します」等が挙げられる。また、適正な操作による現状の報知としては、例えば「測定記録中です」等が挙げられる。
【００２７】
（１０）請求項１０の発明は、前記報知を、光、音、及び振動のうち、少なくとも１種を用いて行うことを特徴とする。
本発明は、報知の具体的な手段を例示したものである。例えば光りで報知を行う場合には、ＬＥＤの点滅や液晶表示装置の文字表示などを採用することができる。音で報知を行う場合には、音声や電子音などを採用できる。
【００２８】
（１１）請求項１１の発明は、前記報知の内容を、無線により外部装置に送信することを特徴とする。
例えば病院などで呼吸状態を調べる場合には、呼吸状態監視装置の動作状態を無線によりナースステーションなどに報知する。これにより、例えば測定異常の場合には、速やかに再測定を設定できるので測定ミスを防止することができる。
【００２９】
（１２）請求項１２の発明は、前記呼吸状態監視装置の操作を案内する案内手段を備えたことを特徴とする。
本発明では、呼吸状態監視装置に、例えば液晶表示装置等の動作表示器やスピーカを設けることにより、文字や音声などによって装置の操作を案内することができる（ナビゲーション機能を備えている）。これにより、慣れない装置でも測定ミスなどを防止することができる。
【００３０】
（１３）請求項１３の発明は、呼吸状態監視装置に呼吸センサが装着された呼吸状態監視システムを示している。
・尚、上述した呼吸状態監視装置において、呼吸データが呼吸状態監視装置のメモリに記憶されるデータとして適切なデータか否かを判定するデータ判定手段と、データ判定手段の判定結果に基づき適切な呼吸データのみを記憶する記憶制御手段と、を備えていてもよい。
【００３１】
つまり、呼吸データが必要時間分（例えば３時間分）得られれば呼吸状態の解析が可能であるが、例えば呼吸センサが体から外れた状態で得られた呼吸データを３時間分蓄積しても、呼吸状態を解析できない。従って、呼吸状態監視装置に入力した呼吸データが、正常な測定によって得られたものであるかを判定し、そうである場合のみその呼吸データを蓄積する。これによって、メモリに記憶された呼吸データは常に適正なものとなるので、その呼吸データを用いて呼吸状態を精度良く解析することができる。
【００３２】
なお、どの様な呼吸データが適切なデータであるかは、実験等によって求めて、その判定条件を予め定めておけばよい。例えば、呼吸信号の振幅が非常に小さなものであっても、それは無呼吸症候群に起因するのか呼吸センサが体から外れたことによるのかを区別する必要があるので、その場合は、信号の振幅が小さい期間が所定値（例えば１分）より長いか短いかで判定を行う。つまり、振幅が小さい期間が所定値より短い場合は、無呼吸症候群に起因すると判定して、その呼吸データを蓄積し、逆に、振幅が小さい期間が長い場合は、呼吸センサの脱落等に起因すると判定して、その呼吸データを蓄積しないようにする。
【００３３】
・更に、前記記憶制御手段によって記憶された適切な呼吸データが、規定量蓄積されたか否かを判定するデータ蓄積判定手段と、前記データ蓄積判定手段による判定結果を報知する判定結果報知手段と、を備えていてもよい。
【００３４】
例えば、呼吸データが呼吸状態の解析に必要なだけ蓄積された場合に、その旨の報知を行うことにより、被験者等はその呼吸データを解析に回せばよいことが分かる。逆に、例えば、呼吸データが解析に必要なだけ蓄積されていない場合に、その旨の報知を行うことにより、被験者等は（呼吸データを解析に回すのではなく）再度測定を行う必要があることが分かる。これにより、全体の作業能率が向上する。
【発明を実施するための最良の形態】
【００３５】
次に、本発明を実施するための最良の形態の例（実施例）について説明する。
【実施例１】
【００３６】
本実施例の呼吸状態監視装置及び呼吸状態監視システムは、多くの被験者に対して、その呼吸の異常を抽出（スクリーニング）するために用いられるものである。
ａ）まず、本実施例の呼吸状態監視システムの構成を、図１〜図３を用いて説明する。
【００３７】
図１に示す様に、呼吸状態監視システム（睡眠時無呼吸スクリーナ）１は、呼吸状態、詳しくは睡眠時の呼吸の有無を検出するためのシステムであり、被験者に取り付けられる呼吸センサ３と、呼吸センサ３が着脱可能に取り付けられて、呼吸センサ３からの信号を記録する呼吸状態監視装置５とから構成されている。
【００３８】
前記呼吸センサ３は、略Ｔ字形状の内カバー６及び外カバー７の２重構造からなるセンサ本体８を備えるとともに、両カバー６、７の左右の下端を連結する連結部９と、両カバー６、７の間から伸びる一対のリード線１０、１１と、リード線１０、１１の先端に取り付けられたセンサ側コネクタ１３（図２参照）とを備えている。
【００３９】
このうち、両カバー６、７は、図１の上下方向に伸びる中央部６ａ、７ａが紙面表側に凸となった例えばポリエステルからなる薄肉のフィルム状の部材であり、口及び鼻からの息を検出するための呼吸検出部１４と、呼吸検出部１４の後端側（同図上方）の左右の両端から突出する一対の脚部１６ａ、１６ｂとから構成されている。
【００４０】
また、下カバー６の先端側には、長方形の圧電素子（例えばピエゾ素子）１５が取り付けられており、上カバー７の先端側には、圧電素子１５に対応する投影位置（図１の紙面表側）には、複数のスリット状の換気孔１８が形成されている。
【００４１】
一方、前記呼吸状態監視装置５は、腕等に装着可能なような軽量な携帯型の装置であり、図３に示す様に、略直方体のプラスチック製の筐体１７と、その内部に収容された電子制御装置１９（図４参照）とを備えている。
【００４２】
この呼吸状態監視装置５の上面には、センサ側コネクタ１３が嵌め込まれる装置側上コネクタ（モジュラージャック）２１が設けられるとともに、第１〜第４ＬＥＤ２３〜２９が半透明のカバー３１に覆われて配置されている。
【００４３】
また、呼吸状態監視装置５の左側面には、呼吸状態の測定（監視）の開始や終了のオン・オフを行う測定開始スイッチ３３が配置され、呼吸状態監視装置５の下面には、呼吸状態監視装置５をベース装置（データ収集装置）３５（図５参照）に接続するために、装置側下コネクタ（Ｄ−ＳＵＢコネクタ）３７が配置されている。
【００４４】
尚、呼吸状態監視装置５の裏面には、呼吸状態監視装置５自身のＩＤ番号を示すバーコードのシール（記録部）４１が貼り付けられている。
特に、本実施例では、呼吸状態監視装置５の正面に、装置の状態等を明確に示すために、動作表示器３９が設けられている。
【００４５】
この動作表示器３９は、複数の文字等を表示できる液晶表示装置であり、バックライトを点滅（又は点灯）することにより、被験者等に表示内容に注意を向けさせることができる。
【００４６】
なお、バックライトを点滅させるのではなく、例えば動作表示器３９の近傍にＬＥＤ等を配置し、そのＬＥＤを点滅させる等により、動作表示器３９に表示させる内容に注意を喚起するようにしてもよい。
【００４７】
この動作表示器３９に表示する内容としては、後に詳述する様に、例えば下記の５種類の内容が挙げられる。
・測定開始スイッチ３３の操作ミスを報知する場合には、「測定開始スイッチを入れて下さい」との文字を表示する。
【００４８】
・測定が継続中の場合には、「測定記録中です」との文字を表示する。この場合は、睡眠の邪魔にならないように、バックライトの点滅等は中止する。
・呼吸センサ３からの測定データが得られない場合（異常を報知する場合）には、「測定異常、装置を点検して下さい」との文字を表示する。
【００４９】
・所定時間（例えば１０時間）経過しても測定データが必要な時間分（例えば３時間分）得られていないことを報知する場合には、「測定データの蓄積が不足です」との文字を表示する。
【００５０】
・測定が正常に完了したことを報知する場合には、「測定は正常に完了しました」との文字を表示する。
ｂ）次に、呼吸状態監視装置５の電気的構成について、図４を用いて説明する。
【００５１】
図４に示す様に、呼吸状態監視装置５の電子制御装置１９として、周知のＡ／Ｄ内蔵マイコン４３、バッテリ（充電池）６３でバックアップされたリアルタイムクロック４５、不揮発性メモリ４７、フラッシュメモリ４９、シリアル通信回線５１を備えるとともに、チャージアンプ（ＡＭＰ）５３、ゲイン１倍ＡＭＰ５５、ゲイン２倍ＡＭＰ５７を備えている。
【００５２】
また、前記Ａ／Ｄ内蔵マイコン４３は、バッテリ切れ表示器５９の第１ＬＥＤ２３、呼吸フロー表示器６１の第２〜第４ＬＥＤ２５〜２９に接続されている。
このうち、第１ＬＥＤ２３は、充電池６３の電圧が低下すると点灯するランプである。また、第２〜第４ＬＥＤ２５〜２９は、呼吸状態に応じて点滅するランプであり、第３ＬＥＤ２７は呼吸センサ３が呼吸状態監視装置５に接続されると点灯し、第２ＬＥＤ２５は息が吸われと点灯し、第４ＬＥＤ２９は息が吐かれると点灯する。
【００５３】
更に、Ａ／Ｄ内蔵マイコン４３には、動作表示器３９が接続されているとともに、音声合成の機能を有するアンプ６５を介して、スピーカ６７及びイヤホーンジャック６９が接続されている。
【００５４】
装置側下コネクタ３７は、充電池６３を介して、装置側上コネクタ２１に接続され、更に、装置側上コネクタ２１は、電子制御装置１９に電力を供給する電源回路７１に接続されている。
【００５５】
ここで、充電池６３から電源回路７１への回路は、装置側上コネクタ２１によって、常時は、開かれた構造となっている。
つまり、呼吸センサ３のセンサ側コネクタ１３を装置側上コネクタ２１に装着することによって、充電池６３から電源回路７１へ電力が供給されるとともに、呼吸センサ３からの信号が呼吸状態監視装置５のＡ／Ｄ内蔵マイコン４３に入力する構成となっている。
【００５６】
また、図５に示す様に、呼吸状態監視装置５は、データ収集装置３５に装着されることによって、データ収集装置３５のベース側コネクタ（Ｄ−ＳＵＢコネクタ）７３から、装置側下コネクタ３７の専用の充電端子（図示せず）を介して、充電池６３に充電される構成になっている。
【００５７】
なお、複数の呼吸状態監視装置５を着脱可能に装着するデータ収集装置３５と、呼吸状態監視装置５のバーコードを読み込むバーコードリーダ８３と、バーコードリーダ８３やデータ収集装置３５を制御するパソコン８５等とから、全体管理システム８１が構成されている。
【００５８】
ｃ）次に、呼吸状態監視システム１の使用方法について、順を追って説明する。
(1)呼吸状態の測定方法の概略
・まず、個々の被験者に対してその呼吸状態を測定する場合には、呼吸状態監視装置５を被験者の腕に取り付ける。また、呼吸センサ３のセンサ本体８を、口と鼻との間に両面テープで取り付ける。
【００５９】
・そして、センサ側コネクタ１３を装置側上コネクタ２１に装着すると、充電池６３から電源回路７１に到る回路が閉じて、電子制御装置１９に電力が供給される状態（電源オン）となる。
【００６０】
・電源がオンとなると、後に詳述する様に、装置の状態に応じて、動作表示器３９を駆動して種々の表示を行う。
・また、測定開始スイッチ３３が「入（オン）」に操作されると、呼吸センサ３からの信号の処理が開始され、状況に応じて第２〜第４ＬＥＤ２３〜２９が点灯する。
【００６１】
・更に、測定開始スイッチ３３が「入」に操作されてから３分間経過すると、第２〜第４ＬＥＤ２５〜２９は減光する。
・そして、呼吸センサ３からの信号をフラッシュメモリ４９に記憶する動作を開始する。具体的には、呼吸センサ３からのアナログ信号を入力し、０．１秒毎の信号（振幅値）を呼吸データとして記憶する。なお、通常は、呼吸状態の解析に必要な３時間分の呼吸データを記憶する。
【００６２】
・その後、測定開始スイッチ３３のオンから１０時間経過すると、呼吸状態を示す信号の記憶を終了し、呼吸状態の測定を終了する。
・測定が終了すると、顔からセンサ本体８が顔から外され、呼吸センサ３が呼吸状態監視装置５から外される。この呼吸センサ３の装置からの取り外し動作によって、充電池６３から電源回路７１に到る回路が開くことになる。
【００６３】
・その後、呼吸状態監視装置５がデータ収集装置３５に装着されると、パソコン８５の操作によって、呼吸データが呼吸状態監視装置５からデータ収集装置３５を介してパソコン８５の記憶装置等に記憶されることになる。
【００６４】
(2)電源オンからの処理内容
次に、電源オンにより開始される電子制御装置１９の処理内容の要部について、フローチャートに基づいて詳細に説明する。
【００６５】
図６に示す様に、電源がオンとなると、ステップ（Ｓ）１００にて、電源オンから１分以上経過したか否かを判定する。ここで、肯定判断されると、ステップ１１０に進み、一方否定判断されると待機する。
【００６６】
ステップ１１０では、測定開始スイッチ３３がオンに操作されたか否かを判定する。ここで肯定判断されるとステップ１５０に進み、一方否定判断されるとステップ１２０に進む。
【００６７】
ステップ１２０では、電源がオンになってから１分以上経過しても測定開始スイッチ３３がオンにされないので、「測定開始スイッチ３３のオンの操作が忘れられている」と判断して、そのことを報知するために、動作表示器３９を駆動して、「測定開始スイッチを入れて下さい」と表示する。
【００６８】
それとともに、動作表示器３９のバックライトを点滅して、被験者等に注意を促す。更に、スピーカ６７等を駆動して音声（又は電子等の音）にて報知を行う。また、イヤホーンジャック６９にイヤホーンが接続されている場合には、同様な音声や音を聞くことができる。
【００６９】
なお、音声や音の出力を行わずに、動作表示器３９の表示のみを行ってもよい。或いは、動作表示器３９の表示を行わずに、スピーカ６７等により音声や音のみを出力してもよい。
【００７０】
続くステップ１３０では、電源オンから所定時間（例えば５分）以上経過したか否かを判定する。ここで肯定判断されるとステップ１５０に進み、一方否定判断されるとステップ１４０に進む。
【００７１】
この処理は、電源オンから５分以上経過した場合には、測定開始スイッチ３３のオン・オフにかからず、ステップ１５０に進んで、強制的に測定を開始するためのものである。
ステップ１４０では、再度、測定開始スイッチ３３がオンに操作されたか否かを判定する。ここで肯定判断されるとステップ１５０に進み、一方否定判断されると前記ステップ１２０に戻る。
【００７２】
前記ステップ１１０、１３０、１４０で肯定判断されて進むステップ１５０では、測定を開始する。つまり、呼吸センサ３からの呼吸データを、Ａ／Ｄ内蔵マイコン４３に読み込む処理を行う。
【００７３】
続くステップ１６０では、動作表示器３９を駆動して、「測定記録中です」と表示する。
続くステップ１７０では、測定開始から１０時間以上経過したか否かを判定する。ここで肯定判断されるとステップ２４０に進み、一方否定判断されるとステップ１８０に進む。
【００７４】
ステップ１８０では、何らかの異常の発生を判定するために、１０分間測定データの入力が無いか否か（或いは正常時とは異なる微弱な入力しかないか否か）を判定する。ここで肯定判断されるとステップ２３０に進み、一方否定判断されるとステップ１９０に進む。
【００７５】
ステップ２３０では、例えば断線が発生したり、呼吸センサ３が体から外れたり、或いは、被験者が布団をかぶったりすることが原因で、入力信号が異常となり、正常な測定ができないと判断する。そして、動作表示器３９を駆動して、「測定異常、装置を点検して下さい」と表示するとともに、バックライトを点滅し、一旦本処理を終了する。なお、この表示とともに（或いは表示に代えて）、音声や音によりこの旨を報知してもよい。
【００７６】
一方、ステップ１９０では、測定データが、（フラッシュメモリ４９に記憶すべき）適正なデータであるか否かを判定する。ここで肯定判断されるとステップ２００に進み、一方否定判断されるとステップ１５０に戻って、同様な処理を繰り返す。
【００７７】
例えば図７に示す様に、呼吸データの入力値が、その最大振幅の１０％以下の状態が１０分以上継続したか否かを判定し、１０分間継続した場合には、呼吸データとして好ましくないデータ、例えば機械の異常などに起因する異常なデータとして排除する。一方、１分間未満であれば、例えば無呼吸症候群に起因する変動であるとみなして、適正なデータと判断する。
【００７８】
ステップ２００では、測定データが呼吸状態を示す適正なデータであるので、その測定データをフラッシュメモリ４９に記憶する。
続くステップ２１０では、測定開始スイッチ３３がオンか否かを判定する。ここで否定判断されるとステップ２４０に進み、一方肯定判断されると前記ステップ１５０に戻って同様な処理を繰り返す。
【００７９】
ステップ２４０では、規定の測定時間が終了したので、測定データが３時間分フラッシュメモリ４９に記憶されたか否かを判定する。ここで肯定判断されるとステップ２６０に進み、一方否定判断されるとステップ２５０に進む。
【００８０】
ステップ２６０では、呼吸状態の解析に十分な呼吸データが記憶されたので、動作表示器３９を駆動して、「測定は正常に完了しました」と表示し、一旦本処理を終了する。なお、この表示とともに（或いは表示に代えて）、音声や音によりこの旨の報知を行ってもよい。
【００８１】
一方、ステップ２５０では、１０時間測定を行っても十分なデータが不足しているので、動作表示器３９を駆動して、「測定データの蓄積が不足です」と表示するとともに、バックライトを点滅し、一旦本処理を終了する。なお、この表示とともに（或いは表示に代えて）、音声や音によりこの旨の報知を行ってもよい。従って、この場合は、再度測定が必要となる。
【００８２】
ｄ）次に、本実施例の効果を説明する。
本実施例では、電源がオンになってから１分以上経過しても測定開始スイッチ３３がオンにされない場合には、「測定開始スイッチを入れて下さい」と表示（案内）するので、測定開始の操作が確実に行われる。
【００８３】
また、本実施例では、呼吸状態の解析に十分な呼吸データが記憶された場合には、「測定は正常に完了しました」と表示するので、測定が確実に行われたことが分かる。よって、この測定データを呼吸状態に解析に回せば良いので、作業をスムーズに行うことができる。
【００８４】
更に、呼吸データに関しては、その呼吸データが記憶すべき適正なデータであるか否かを判定して、適正な呼吸データのみを記憶しているので、測定データの蓄積ミスを防止することができる。つまり、記憶された呼吸データは適正なものであるので、この呼吸データを用いれば呼吸状態を正しく解析することができる。
【００８５】
一方、本実施例では、（測定時間が終了して）一応測定が完了した場合でも、呼吸状態の解析に十分な呼吸データが記憶されていない場合には、「測定データの蓄積が不足です」と表示するので、再度測定を行うべきか或いは呼吸データを解析に回すべきかが分かる。よって、不十分な呼吸データを用いて解析を開始することもないので、作業能率が向上するという効果がある。
【実施例２】
【００８６】
次に、実施例２について説明するが、前記実施例１と同様な内容の説明は省略する。
ａ）まず、本実施例の呼吸状態監視装置の構成について説明する。
図８に示す様に、本実施例では、呼吸状態監視装置１０１の筐体１０３の上部に、前記実施例１と同様な第１〜第４ＬＥＤ１０５〜１１１を備えるとともに、筐体１０３の正面の側壁に、（前記実施例１には無い）第５〜第８ＬＥＤ１１３〜１１９を備えている。
【００８７】
このうち、第５ＬＥＤ１１３の右側には、「測定開始スイッチを入れて下さい」との文字が印刷され、第６ＬＥＤ１１５の右側には、「測定異常、装置を点検して下さい」との文字が印刷され、第７ＬＥＤ１１７の右側には、「測定データの蓄積が不足です」との文字が印刷され、第８ＬＥＤ１１９の右側には、「測定は正常に完了しました」との文字が印刷されている。
【００８８】
従って、第５〜第８ＬＥＤ１１３〜１１９の点滅により、印刷されている内容の注意を喚起することができる。
ｂ）次に、本実施例の処理内容について説明する。
【００８９】
図９に示す様に、電源がオンとなると、ステップ３００にて、電源オンから１分以上経過したか否かを判定する。ここで、肯定判断されると、ステップ３１０に進み、一方否定判断されると待機する。
【００９０】
ステップ３１０では、測定開始スイッチ３３がオンに操作されたか否かを判定する。ここで肯定判断されるとステップ３５０に進み、一方否定判断されるとステップ３２０に進む。
【００９１】
ステップ３２０では、電源がオンになってから１分以上経過しても測定開始スイッチ３３がオンにされないので、第５ＬＥＤ１１３を点滅し、「測定開始スイッチを入れて下さい」との表示に注意を向けるようにする。なお、それとともに（或いはそれとは別に）、音声や音により、その旨を報知してもよい。
【００９２】
続くステップ３３０では、電源オンから５分以上経過したか否かを判定する。ここで肯定判断されるとステップ３５０に進み、一方否定判断されるとステップ３４０に進む。
ステップ３３０では、再度、測定開始スイッチ３３がオンに操作されたか否かを判定する。ここで肯定判断されるとステップ３５０に進み、一方否定判断されると前記ステップ３２０に戻る。
【００９３】
そして、ステップ３５０では、測定を開始する。つまり、呼吸データを、Ａ／Ｄ内蔵マイコン４３に読み込む処理を行う。
続くステップ３６０では、測定開始から１０時間以上経過したか否かを判定する。ここで肯定判断されるとステップ４３０に進み、一方否定判断されるとステップ３７０に進む。
【００９４】
ステップ３７０では、１０分間測定データの入力が無いか否かを判定する。ここで肯定判断されるとステップ４２０に進み、一方否定判断されるとステップ３８０に進む。
ステップ４２０では、第６ＬＥＤ１１５を点滅し、「測定異常、装置を点検して下さい」との表示に注意を喚起して、一旦本処理を終了する。なお、この表示とともに（或いは表示に代えて）、音声や音によりこの旨を報知してもよい。
【００９５】
一方、ステップ３８０では、測定データが、適正なデータであるか否かを判定する。ここで肯定判断されるとステップ３９０に進み、一方否定判断されるとステップ３５０に戻る。
【００９６】
ステップ３９０では、測定データが呼吸状態を示す適正なデータであるので、その測定データをフラッシュメモリ４９に記憶する。
続くステップ４００では、測定開始スイッチ３３がオンか否かを判定する。ここで否定判断されるとステップ４３０に進み、一方肯定判断されると前記ステップ３５０に戻る。
【００９７】
ステップ４３０では、測定データが３時間分フラッシュメモリ４９に記憶されたか否かを判定する。ここで肯定判断されるとステップ４５０に進み、一方否定判断されるとステップ４４０に進む。
【００９８】
ステップ４５０では、呼吸状態の解析に十分な呼吸データが記憶されたので、第８ＬＥＤ１１９を点滅して、「測定は正常に完了しました」との表示に注意を喚起し、一旦本処理を終了する。なお、この表示とともに（或いは表示に代えて）、音声や音によりこの旨の報知を行ってもよい。
【００９９】
一方、ステップ４４０では、１０時間測定を行っても十分なデータが不足しているので、第７ＬＥＤ１１７を点滅して、「測定データの蓄積が不足です」との表示に注意を喚起して、一旦本処理を終了する。なお、この表示とともに（或いは表示に代えて）、音声や音によりこの旨の報知を行ってもよい。
【０１００】
本実施例によっても、前記実施例１と同様な効果を奏するとともに、ＬＥＤを更に複数配置すれば良いので、構成を簡易化できるという利点がある。
尚、前記請求項１の異常判定手段としては例えば図６のステップ１９０、同異常報知制御手段としては例えば図６のステップ２３０、２５０、２６０等が挙げられる。また、請求項３の操作判定手段としては例えば図６のステップ１１０、同操作報知制御手段としては例えば図６のステップ１２０等が挙げられる。
【０１０１】
また、本発明は前記実施例に何ら限定されることなく、本発明の技術的範囲を逸脱しない限り、種々の態様で実施できることはいうまでもない。
（１）例えば前記実施例１、２では、操作ミスや入力異常を報知したが、それ以外の異常を、液晶表示装置やＬＥＤにより報知しても良い。また、操作ミスなどを指摘するだけでなく、それによる結果として、例えば「測定を開始できません」等を表示したり、その対策として、例えば「測定開始スイッチをオンにして下さい」等を表示してもよい。なお、表示する際には、表示とともに（或いは表示代えて）音声等で報知してもよい。
【０１０２】
（２）また、液晶表示装置などの文字を変更して表示できる表示装置を備えている場合には、その表示装置に、操作の手順などを案内するナビゲーション機能を付加してもよい。なお、その際には（或いはそれとは別に）、音声等で操作を案内してもよい。
【０１０３】
（３）更に、「異常が発生したこと」や「正常に完了したこと」は、呼吸状態監視装置に表示する以外に、その情報を無線により送信して、例えばナースステーションなどにて報知するようにしてもよい。
【０１０４】
（４）また、前記実施例１、２では、適正なデータのみを記憶したが、測定が開始されてからのデータを順次記録するとともに、そのデータが適正なデータか否かを記録し、適正なデータが必要量蓄積されたか否かを判定するようにしてもよい。
【図面の簡単な説明】
【０１０５】
【図１】実施例１の呼吸状態監視システムを示す説明図である。
【図２】呼吸センサの呼吸状態監視装置への装着状態を示す説明図である。
【図３】呼吸状態監視装置を示し、（ａ）は上面図、（ｂ）は正面図、（ｃ）は底面図、（ｄ）は左側面図、（ｅ）は背面図である。
【図４】呼吸状態監視装置の電気的構成を示すブロック図である。
【図５】全体管理システムのシステム構成を示す説明図である。
【図６】実施例１の呼吸状態監視装置の制御処理を示すフローチャートである。
【図７】呼吸状態監視装置に入力する信号を示す説明図である。
【図８】実施例２の呼吸状態監視装置の正面図である。
【図９】実施例２の呼吸状態監視装置の制御処理を示すフローチャートである。
【符号の説明】
【０１０６】
１・・・呼吸状態監視システム
３・・・呼吸センサ
５、１０１・・・呼吸状態監視装置
１５・・・圧電素子
３５・・・データ収集装置
３９・・・動作表示器
１１３・・・第５ＬＥＤ
１１５・・・第６ＬＥＤ
１１７・・・第７ＬＥＤ
１１９・・・第８ＬＥＤ
【図１】
2008110137.tif 000003
【図２】
2008110137.tif 000004
【図３】
2008110137.tif 000005
【図４】
2008110137.tif 000006
【図５】
2008110137.tif 000007
【図６】
2008110137.tif 000008
【図７】
2008110137.tif 000009
【図８】
2008110137.tif 000010
【図９】
2008110137.tif 000011